(57)【要約】【課題】外部部品が電源装置と重なって配置された場合に、電源装置と外部部品との干渉を低減できる電源装置を提供する。【解決手段】電源装置１は、基板１９とケース１８とを有する。ケース１８は、基板１９を収容する。基板１９の一の主面１９ａは、第１領域１９ｃと第２領域１９ｄとを有する。第１領域１９ｃには、高背部品２９ａが実装されている。第２領域１９ｄには、高背部品２９ａが実装されていない。ケース１８は、対向壁部５１を有する。対向壁部５１は、一の主面１９ａに対向する。対向壁部５１は、第１部位５４と第２部位５５とを有する。第１部位５４は、第１領域１９ｃに対応する。第２部位５５は、第２領域１９ｄに対応する。基板１９から第１部位５４までの間隔Ｈ５は、基板１９から第２部位５５までの間隔Ｈ６よりも大きい。第１領域１９ｃ及び第２領域１９ｄは、基板１９の短手方向に並ぶと共に基板１９の長手方向に沿って延びている。【選択図】  図４
2020035622.tif 000002
【特許請求の範囲】
【請求項１】
一の主面を有し、前記一の主面に高背部品を含む回路部品が実装された基板と、
前記基板を収容するケースと、を備え、
前記基板の前記一の主面は、
前記高背部品が実装されている第１領域と、
前記高背部品が実装されていない第２領域と、を有し、
前記ケースは、
前記一の主面に対向する対向壁部を有し、
前記対向壁部は、
前記第１領域に対応する第１部位と
前記第２領域に対応する第２部位と、を有し、
前記一の主面と前記第１部位との間隔は、前記一の主面と前記第２部位との間隔よりも大きく、
前記基板は、長手方向と短手方向とを有し、
前記第１領域及び前記第２領域は、前記基板の前記短手方向に並ぶと共に前記基板の前記長手方向に沿って延びている
電源装置。
【請求項２】
前記ケースは、前記基板を収容する収容凹部を有し、
前記対向壁部は、前記収容凹部の底壁部である、
請求項１に記載の電源装置。
【請求項３】
前記底壁部を第１底壁部とし、
前記ケースは、前記収容凹部を有する面とは反対側の面に凹部を更に有し、
前記凹部の第２底壁部の少なくとも一部は、前記収容凹部の前記第１底壁部の前記第２部位と兼用されている
請求項２に記載の電源装置。
【請求項４】
前記第１領域は２つ設けられており、
前記２つの第１領域は、前記基板の前記短手方向において前記第２領域の両側に配置されている
請求項１〜３の何れか１項に記載の電源装置。
【請求項５】
前記ケースは、金属部材で形成されている
請求項１〜４の何れか１項に記載の電源装置。
【請求項６】
前記ケースは、前記基板を囲む内壁部を有し、
前記ケースは、前記内壁部と前記基板との間に絶縁部材を有する、
請求項５に記載の電源装置。
【請求項７】
前記ケースは、樹脂部材で形成されている
請求項１〜４の何れか１項に記載の電源装置。
【請求項８】
請求項１〜７の何れか１項に記載の電源装置と、
前記電源装置から供給される電力で光を発する灯具と、を備える、
照明装置。
【請求項９】
請求項８に記載の照明装置と、
前記照明装置を支持する器具本体と、を備える、
照明器具。
【発明の詳細な説明】
【技術分野】
【０００１】
本開示は、電源装置、照明装置及び照明器具に関し、より詳細には、高背部品を含む回路部品が実装された基板を有する電源装置、当該電源装置を備える照明装置、及び当該照明装置を備える照明器具に関する。
【背景技術】
【０００２】
特許文献１に記載の照明器具は、照明装置と、照明装置が取り付けられる器具本体とを備えている。照明装置は、電源装置を備えている。器具本体は、照明装置と電気的に接続するためのコネクタを有する。照明装置の器具本体への取り付けは、取付方向が決まっている。例えば、照明装置は、器具本体に対して、照明装置の長手方向と器具本体の長手方向とが一致した状態で、器具本体の長手方向において電源装置とコネクタとが互いに反対側に配置する方向（取付方向）に取り付けられる。取付方向にしたがって照明装置が器具本体に取り付けられた状態では、電源装置及びコネクタは、互いに干渉せずに配置される。
【先行技術文献】
【特許文献】
【０００３】
【特許文献１】特開２０１６−５１６５１号公報
【発明の概要】
【発明が解決しようとする課題】
【０００４】
特許文献１に記載の照明器具では、取付方向を逆方向にして照明装置を器具本体に取り付けようとすると、コネクタ（外部部品）が電源装置と重なって配置される。このため、電源装置とコネクタとは、互いに干渉していた。
【０００５】
本開示の目的は、外部部品が電源装置と重なって配置された場合に、電源装置と外部部品との干渉を低減できる電源装置、当該電源装置を備える照明装置、及び当該照明装置を備える照明器具を提供することである。
【課題を解決するための手段】
【０００６】
本開示の一態様に係る電源装置は、基板と、ケースと、を有する。前記基板は、一の主面を有し、前記一の主面に高背部品を含む回路部品が実装される。前記ケースは、前記基板を収容する。前記基板の前記一の主面は、第１領域と、第２領域と、を有する。前記第１領域には、前記高背部品が実装されている。前記第２領域には、前記高背部品が実装されていない。前記ケースは、対向壁部を有する。前記対向壁部は、前記一の主面に対向する。前記対向壁部は、第１部位と、第２部位と、を有する。前記第１部位は、前記第１領域に対応する。前記第２部位は、前記第２領域に対応する。前記一方の主面と前記第１部位との間隔が、前記一方の主面と前記第２部位との間隔よりも大きい。前記基板は、長手方向と短手方向とを有する。前記第１領域及び前記第２領域は、前記基板の前記短手方向に並ぶと共に前記基板の前記長手方向に沿って延びている。
【０００７】
本開示の一態様に係る照明装置は、上記の一態様の電源装置と、灯具と、を備える。前記灯具は、前記電源装置から供給される電力で光を発する。
【０００８】
本開示の一態様に係る照明器具は、上記の一態様の照明装置と、器具本体と、を備える。前記器具本体は、前記照明装置を支持する。
【発明の効果】
【０００９】
本開示の一態様に係る電源装置、照明装置及び照明器具は、外部部品が電源装置と重なって配置された場合でも、電源装置と外部部品との干渉を低減できるという効果がある。
【図面の簡単な説明】
【００１０】
【図１】図１は、実施形態１に係る照明器具を示す分解斜視図である。
【図２】図２は、同上の照明器具に含まれる光源ユニットを示し、カバーの一部分及び電源装置を省略して長手方向から見た側面図である。
【図３】図３Ａは、光源ユニットが器具本体に正規の取付方向で取り付けられた場合の照明器具を示し、上側から内部を透視した平面図である。図３Ｂは、図３ＡのＡ−Ａ線断面図である。
【図４】図４は、図３Ｂの光源ユニット部分の部分拡大図である。
【図５】図５は、図３Ｂの器具本体部分の部分拡大図である。
【図６】図６は、正規の取付方向で光源ユニットを器具本体に取り付ける取付手順を説明する分解斜視図である。
【図７】図７Ａ及び図７Ｂは、正規の取付方向で光源ユニットを器具本体に取り付ける取付手順を説明する断面図である。
【図８】図８は、逆向きの取付方向で光源ユニットを器具本体に取り付ける取付手順を説明する分解斜視図である。
【図９】図９Ａ及び図９Ｂは、逆向きの取付方向で光源ユニットを器具本体に取り付ける取付手順を説明する断面図である。
【図１０】図１０Ａは、光源ユニットが器具本体に逆向きの取付方向で取り付けられた場合の照明器具を示し、上側から内部を透視した平面図である。図１０Ｂは、図１０ＡのＢ−Ｂ線断面図である。
【図１１】図１１Ａは、変形例１に係る照明器具を長手方向に直交する断面で見た分解断面図である。図１１Ｂは、同上の照明器具の組付状態を示す断面図である。
【図１２】図１２は、変形例２に係る照明器具の電源ケースを長手方向に直交する断面で見た断面図である。
【図１３】図１３Ａは、変形例３に係る照明器具の電源ケースを長手方向に直交する断面で見た断面図である。図１３Ｂは、同上の照明器具を長手方向に直交する断面で見た断面図である。
【発明を実施するための形態】
【００１１】
以下、本開示の一態様に係る電源装置、照明装置及び照明器具の実施形態を、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
（実施形態１）
本実施形態の照明器具６は、図１に示すように、光源ユニット２（照明装置）と、光源ユニット２を支持する器具本体４とを有する。光源ユニット２は、図１に示すように天井９に直付けされる器具本体４に着脱可能に取り付けられる。ただし、器具本体４は、天井９に埋め込まれてもよいし、あるいは、壁に直付けされてもよいし、壁に埋め込まれてもよい。なお、以下の説明では、特に断りのない限り、図１に矢印で示す向きにおいて、光源ユニット２及び器具本体４の上下、左右、前後の各方向を規定する。
【００１３】
器具本体４は、ナット９１によって吊りボルト９０に固定され、天井９に直付けされる。光源ユニット２は、器具本体４に対して着脱可能に取り付けられる。
【００１４】
光源ユニット２は、器具本体４において、光源ユニット２の長手方向と器具本体４の長手方向とが一致するように取り付けられる。
【００１５】
器具本体４は、板金に曲げ加工を施すことで長尺かつ上面（天井９との対向面）が開口するへん平な箱状に形成される。器具本体４の天井９と反対側（下側）には、光源ユニット２を収容するための矩形の凹部４０が器具本体４の長手方向（左右方向）の全長に亘って設けられている。器具本体４の短手方向（前後方向）における凹部４０の両側には、それぞれ傾斜部４１が設けられている。傾斜部４１は、凹部４０の開口端縁から器具本体４の短手方向（前後方向）に延出し、かつ、外側に向かって上方へ傾斜している。
【００１６】
凹部４０は、長尺の矩形板状に形成された底板４２と、底板４２の長手方向に沿った両端（前端及び後端）から下向きに突出する一対の側板４３とを有している。凹部４０の底板４２には、電源線９２を通すための孔４２０が長手方向（左右方向）におけるほぼ中央に設けられている。さらに、この底板４２には、長手方向（左右方向）における両端寄りの位置に吊りボルト９０を通すための孔４２１がそれぞれ設けられている。そして、底板４２の下面には端子台４４が設けられている。
【００１７】
端子台４４は、底板４２の下面において、定められた位置（所定部位）に設けられている。本実施形態では、端子台４４は、底板４２において、長手方向（左右方向）の中心位置から、長手方向の両端部のうちの一方の端部（例えば右端部）側にずれた位置に設けられている。端子台４４は、電源線９２と電気的に接続される。端子台４４から接地線を含む３本の電線４４０が引き出されている。さらに、これら３本の電線４４０の先端にコネクタ４４１が電気的に接続されている。電源線９２は、外部の交流電源（例えば商用交流系統）と接続されており、コネクタ４４１が光源ユニット２に接続されることで、電源線９２から交流電力がコネクタ４１１を介して光源ユニット２に供給される。
【００１８】
器具本体４は、図５に示すように、一対の引掛孔４３０Ａと、一対のばね受け具４３１Ａと、一対の引掛孔４３０Ｂと、一対のばね受け具４３１Ｂとを有する。図５では、一対の引掛孔４３０Ａのうちの１つだけが図示されている。同様に、一対のばね受け具４３１Ａ、一対の引掛孔４３０Ｂ、及び一対のばね受け具４３１Ｂについても、それぞれ、１つだけ図示されている。一対の引掛孔４３０Ａは、光源ユニット２が器具本体４の凹部４０に正規の取付方向で取り付けられる場合に、光源ユニット２の後述の一対の引掛具２１４（図１参照）が引っ掛かる孔である。一対のばね受け具４３１Ｂは、光源ユニット２が器具本体４の凹部４０に正規の取付方向で取り付けられる場合に、光源ユニット２の一対の引掛ばね２１５（図１参照）の先端部が引っ掛かる部分である。一対のばね受け具４３１Ａは、光源ユニット２が器具本体４の凹部４０に逆向きの取付方向で取り付けられる場合に、光源ユニット２の後述の一対の引掛ばね２１５の先端部が引っ掛かる部分である。一対の引掛孔４３０Ｂは、光源ユニット２が器具本体４の凹部４０に逆向きの取付方向で取り付けられる場合に、光源ユニット２の一対の引掛具２１４が引っ掛かる孔である。逆向きの取付方向とは、正規の取付方向とは反対方向の取付方向である。正規の取付方向とは、器具本体４の端子台４４と光源ユニット２の電源装置１とが、器具本体４の長手方向（左右方向）において、器具本体４の中心を挟んで互いに反対側に配置される取付方向である。光源ユニット２は、図１及び図２に示すように、灯具２０と、電源装置１とを備える。電源装置１は、器具本体４のコネクタ４４１から供給される交流電力を直流電力に変換して灯具２０に供給する装置である。灯具２０は、電源装置１からの電力を受けて照明光を発する装置である。灯具２０は、複数（例えば、２つ）のＬＥＤ（Light Emitting Diode）モジュール２２と、取付部材２１と、カバー２３とを備えている。
【００１９】
２つのＬＥＤモジュール２２は、長手方向（左右方向）に並んで配置されている。各ＬＥＤモジュール２２は、長手方向（左右方向）に長い矩形板状に形成された基板２２１を有する（図２参照）。基板２２１の表面（下面）には、複数の固体発光素子（ＬＥＤ２２０）が長手方向（左右方向）に沿い、かつ、１列に並べて実装されている。
【００２０】
各ＬＥＤモジュール２２において隣接するＬＥＤモジュール２２と対向する端部には、電源供給用の一対のコネクタ２２４がそれぞれ実装されている（図２参照）。そして、互いに隣接する２つのＬＥＤモジュール２２の一対のコネクタ２２４同士が電気的に接続されることで、一方のＬＥＤモジュール２２から他方のＬＥＤモジュール２２に点灯電力が中継される。
【００２１】
取付部材２１は、長尺の矩形平板状に形成されている底板２１１と、長尺の矩形平板状に形成されて底板２１１の左右方向に沿った両端から上向きに突出する一対の側板２１２とを有する。なお、取付部材２１は、亜鉛鋼板などの金属板が曲げ加工されることにより、底板２１１と一対の側板２１２とが一体に形成されることが好ましい。また、一対の側板２１２の上端には、おおよそ円筒形状の被引掛部２１３がそれぞれ設けられている。
【００２２】
底板２１１は、前後方向の中央部分が上向きに凹んでおり、その中央部分にＬＥＤモジュール２２が配置されている。ＬＥＤモジュール２２は、底板２１１から切り起こされた複数の固定片２１６によって底板２１１に固定されている。
【００２３】
また、取付部材２１は、一対の引掛具２１４と、一対の引掛ばね２１５とを備えている（図１及び図２参照）。一対の引掛具２１４は、例えば金属で形成されている。一対の引掛具２１４は、先端が鈎形に形成され、その先端部分が前方の側板２１２の上を乗り越えるように、底板２１１の前端における左右両端の近傍にそれぞれ設けられている。なお、一対の引掛具２１４は、前側の側板２１２から前方に突出するように前側の側板２１２に設けられてもよい。これら一対の引掛具２１４は、器具本体４に設けられている引掛孔４３０Ａ，４３０Ｂ（図５参照）のうちの一方に引っ掛けられる。また、一対の引掛ばね２１５は、ねじりコイルばねで構成されている（図２参照）。各引掛ばね２１５は、底板２１１の後端における左右両端の近傍にそれぞれ設けられている（図１参照）。これら一対の引掛ばね２１５は、器具本体４に設けられているばね受け具４３１Ａ，４３１Ｂ（図５参照）のうちの一方に、一方の端が引っ掛けられる。つまり、取付部材２１は、一対の引掛具２１４と一対の引掛ばね２１５とによって、器具本体４に着脱可能に取り付けられる。
【００２４】
カバー２３は、光拡散性を有する材料（例えば乳白色のアクリル樹脂）により上面（取付部材２１側の面）が開口する長尺の箱形に形成されている。カバー２３は、前後方向（幅方向）において両端から中央に行くほど下方への突出量が大きくなるような曲面部２３１を有している（図２参照）。
【００２５】
カバー２３の前後方向における両端部には、光源ユニット２が器具本体４に取り付けられた状態で、上下方向において器具本体４の凹部４０の開口端縁と重なる延出部２３２がそれぞれ設けられている。カバー２３の短手方向（前後方向）において延出部２３２の内側には、上向きに突出する突壁部２３３がそれぞれ全長に亘って設けられている。各突壁部２３３の先端には内向きに突出する引掛部２３４がそれぞれ設けられている。各突壁部２３３の根元近くには、それぞれ内向きに突出する接触片２３５が突出している。
【００２６】
カバー２３は、取付部材２１に取り付けられる。すなわち、一対の引掛部２３４が、取付部材２１の各側板２１２の被引掛部２１３に引っ掛けられ、かつ、各接触片２３５が取付部材２１の底板２１１の下面に接することにより、カバー２３が取付部材２１に取り付けられる（図２参照）。
【００２７】
電源装置１は、器具本体４のコネクタ４４１を介して供給される交流電力を直流電力に変換し、当該直流電力を光源ユニット２の各ＬＥＤモジュール２２に供給することで、各ＬＥＤモジュール２２を発光（点灯）させる装置である。
【００２８】
電源装置１は、図３及び図４に示すように、回路基板１９（基板）と、回路基板１９を収容する電源ケース１８（ケース）とを有する。
【００２９】
回路基板１９は、複数の回路部品２９が実装される基板である。回路基板１９は、例えばプリント配線板である。回路基板１９は、回路基板１９の両側の主面１９ａ，１９ｂの少なくとも一方の主面１９ａに配線部（例えば銅箔）が形成されている。回路基板１９は、例えば矩形板状であり、上下方向からの平面視で互いに直交する長手方向Ｔ１及び短手方向Ｔ２を有する（図３参照）。回路基板１９の長手方向Ｔ１の長さは、回路基板１９の短手方向Ｔ２の長さよりも長い。回路基板１９の長手方向Ｔ１は、照明器具６の左右方向と一致し、回路基板１９の短手方向Ｔ２は、照明器具６の前後方向と一致する。
【００３０】
複数の回路部品２９は、交流電力を直流電力に変換し、変換した電力を各ＬＥＤモジュール２２に供給するための各種の回路部品である。複数の回路部品２９は、複数の回路部品２９の中で相対的に背丈の高い部品である高背部品２９ａ（例えばコンデンサ及びコイル）を含む。高背部品２９ａは、例えば、回路基板１９の一方の主面１９ａからの高さが例えば１０ｍｍ以上の回路部品である。複数の回路部品２９は、回路基板１９の両側の主面１９ａ，１９ｂのうち、一方の主面１９ａ（一の主面）に実装されている。すなわち、一方の主面１９ａが、回路部品２９が実装される部品面である。
【００３１】
回路基板１９の一方の主面１９ａは、第１領域１９ｃと第２領域１９ｄとを有する。第１領域１９ｃには、複数の回路部品２９のうちの高背部品２９ａが実装される。第２領域１９ｄには、複数の回路部品２９のうちの高背部品２９ａ以外の部品が実装される。すなわち、第２領域１９ｄには、高背部品２９ａは実装されていない。高背部品２９ａ以外の部品には、表面実装型の部品が含まれてもよい。第２領域１９ｄには、回路部品２９が実装されなくてもよい。なお、図３の例では、第２領域１９ｄには、回路部品２９は実装されていない。第１領域１９ｃ及び第２領域１９ｄには、回路部品２９を電気的に接続するための配線が設けられていてもよいし、設けられていなくてもよい。
【００３２】
なお、本実施形態では、第２領域１９ｄには、回路部品２９は実装されていない。ただし、第２領域１９ｄに高背部品２９ａ以外の回路部品２９が実装される場合は、高背部品２９ａは、第２領域１９ｄに実施された回路部品２９よりも、回路基板１９の一方の主面１９ａからの高さが高い回路部品である。
【００３３】
回路基板１９の第１領域１９ｃ及び第２領域１９ｄは、一方の主面１９ａにおいて、回路基板１９の長手方向Ｔ１に沿って延びている（図３参照）。本実施形態では、第１領域１９ｃ及び第２領域１９ｄは、一方の主面１９ａにおいて、回路基板１９の長手方向Ｔ１の全体にわたって形成されている。第１領域１９ｃ及び第２領域１９ｄは、一方の主面１９ａにおいて、回路基板１９の短手方向Ｔ２に沿って並んでいる。すなわち、第１領域１９ｃは、一方の主面１９ａにおける短手方向Ｔ２の前半部分を占有し、第２領域１９ｄは、一方の主面１９ａにおける短手方向Ｔ２の後半部分を占有する。
【００３４】
電源ケース１８は、図３及び図４に示すように、回路基板１９を収容するケースである。電源ケース１８は、例えば、金属部材で形成されており、板状の金属板を曲げ加工して形成されている。
【００３５】
電源ケース１８は、例えば平面視矩形の偏平な形状である（図３参照）。本実施形態では、電源ケース１８は、長手方向（左右方向）の両側の端面が開口した構造を有するが（図６参照）、長手方向の両側の端面が壁部で閉ざされた構造を有してもよい。
【００３６】
電源ケース１８は、図４に示すように、基板部２５と、前後両側の側壁部２６，２７とを有する。基板部２５の平面サイズは、電源ケース１８の平面サイズと同じ矩形の板状である。前側の側壁部２６は、基板部２５の前端部から下方に向かって延び、かつ基板部２５の左右方向の全体にわたって設けられている。後側の側壁部２７は、基板部２５の後端部から上方に向かって延び、かつ基板部２５の左右方向の全体にわたって設けられている。
【００３７】
基板部２５は、第１板部３０と、第２板部３１と、第３板部３２と、第４板部３３と、第５板部３４とを有する。
【００３８】
第１板部３０、第２板部３１及び第３板部３２はそれぞれ、平面視矩形の板状であり、電源ケース１８の長手方向（左右方向）の全体にわたって延びている。なお、第１板部３０、第２板部３１及び第３板部３２の各々の前後方向の幅Ｈ１，Ｈ２，Ｈ３はそれぞれ、例えば、電源ケース１８の前後方向の幅Ｈ４の例えば３分の１の大きさであってもよい。第１板部３０、第２板部３１及び第３板部３２の各々の幅Ｈ１，Ｈ２，Ｈ３の長さを足し合わせた長さは、電源ケース１８の幅Ｈ４の長さと同じ長さである。第１板部３０の前端部は、基板部２５の前端部であり、第３板部３２の後端部は、基板部２５の後端部である。第４板部３３は、第１板部３０の後端部と第２板部３１の前端部とを連結する。第４板部３３は、第１板部３０及び第２板部３１の両方に交差（例えば直交）する。第５板部３４は、第２板部３１の後端部と第３板部３２の前端部とを連結する。第５板部３４は、第２板部３１及び第３板部３２の両方に交差（例えば直交）する。
【００３９】
電源ケース１８は、収容凹部３７と、凹部３８とを有する。収容凹部３７は、回路基板１９が収容される部分である。凹部３８は、器具本体４の端子台４４が収容される部分である。
【００４０】
収容凹部３７は、第１底壁部５１（対向壁部）と、前後両側の側壁部５２，５３とを有する。第１底壁部５１は、第１壁部５４と、第２壁部５５と、第３壁部５６とを有する。第１壁部５４は、第１板部３０で構成され、第２壁部５５は、第２板部３１で構成され、第３壁部５６は、第４板部３３で構成されている。前側の側壁部５２は、前側の側壁部２６で構成され、後側の側壁部５３は、第５板部３４で構成されている。
【００４１】
収容凹部３７は、電源ケース１８の上下両側の主面１８ａ，１８ｂのうち、一方の主面（例えば下側の主面）１８ａに設けられている。収容凹部３７は、電源ケース１８の長手方向（左右方向）の全体にわたって形成されている。収容凹部３７における長手方向（左右方向）の両端部は、電源ケース１８における長手方向Ｔ１（左右方向）の両端部で開口している。収容凹部３７は、電源ケース１８の短手方向Ｔ２（前後方向）において、電源ケース１８の一方の主面１８ａにおける前端部１８ｃから中央後寄り部１８ｄまで形成されている。中央後寄り部１８ｄは、電源ケース１８の短手方向（前後方向）において、中央位置から後端部１８ｆ側にずれた位置である。第１底壁部５１の平面サイズは、回路基板１９の平面サイズと略同じ（より詳細には回路基板１９の平面サイズよりも一周り大きいサイズ）である。
【００４２】
回路基板１９が収容凹部３７に収容された状態では、回路基板１９の一方の主面（部品面）１９ａは、収容凹部３７の第１底壁部５１に対向する。すなわち、第１底壁部５１は、回路基板１９が収容凹部３７に収容された状態で、回路基板１９の一方の主面１９ａに対向する対向壁部である。よって、電源ケース１８は、一方の主面１９ａに対向する対向壁部（第１底壁部５１）を有する。また、回路基板１９が収容凹部３７に収容された状態では、一方の主面１９ａは、第１底壁部５１の第１壁部５４及び第２壁部５５と略平行である。
【００４３】
第１壁部５４は、収容凹部３７内の回路基板１９の一方の主面１９ａの第１領域１９ｃと対向（対応）する部分（第１部位）である。第２壁部５５は、収容凹部３７内の回路基板１９の一方の主面１９ａの第２領域１９ｄと対向（対応）する部分（第２部位）である。すなわち、第１底壁部５１（対向壁部）は、第１領域１９ｃと対向（対応）する第１部位（第１壁部５４）と、第２領域１９ｄと対向（対応）する第２部位（第２壁部５５）とを有する。第１壁部５４は、例えば、第１底壁部５１の前側部分であり、第２壁部５５は、第１底壁部５１の後側部分である。第２壁部５５は、第１壁部５４よりも収容凹部３７の開口側に配置されている。すなわち、第１壁部５４と収容凹部３７内の回路基板１９の一方の主面１９ａとの間隔Ｈ５は、第２壁部５５と収容凹部３７内の回路基板１９の一方の主面１９ａとの間隔Ｈ６よりも大きい。
【００４４】
凹部３８は、第２底壁部５７と、前後両側の側壁部５８，５９とを有する。第２底壁部５７は、第４壁部６０、第５壁部６１及び第６壁部６２で構成されている。前側の側壁部５８は、第４板部３３で構成されており、収容凹部３７の第３壁部５６と兼用されている。後側の側壁部５９は、後側の側壁部２７で構成されている。第４壁部６０は、第２板部３１で構成されており、収容凹部３７の第２壁部５５と兼用されている。すなわち、凹部３８の第２底壁部５７の少なくとも一部（例えば第４壁部６０）は、収容凹部３７の第１底壁部５１の第２壁部５５と兼用されている。第５壁部６１は、第３板部３２で構成されている。第６壁部６２は、第５板部３４で構成されており、収容凹部３７の後側の側壁部５３と兼用されている。
【００４５】
凹部３８は、上下方向から見て、第２底壁部５７の一部（例えば第４壁部６０）が収容凹部３７の第１底壁部５１の一部（例えば第２壁部５５）と重なるように、収容凹部３７よりも後側にずれて配置されている。なお、本実施形態では、第２底壁部５７の一部が第１底壁部５１の一部と重なるが、第２底壁部５７の全体が第１底壁部５１の一部に重なってもよい。
【００４６】
凹部３８は、電源ケース１８の上下両側の主面１８ａ，１８ｂのうち、他方の主面（例えば上側の主面）１８ｂに設けられている。凹部３８は、電源ケース１８の長手方向Ｔ１（左右方向）の全体にわたって形成されている。凹部３８における長手方向（左右方向）の両端部は、電源ケース１８における長手方向Ｔ１（左右方向）の両端部で開口されている。凹部３８は、電源ケース１８の短手方向Ｔ２（前後方向）において、電源ケース１８の他方の主面１８ｂにおける後端部１８ｇから中央前寄り部１８ｈまで形成されている。他方の主面１８ｂは、電源ケース１８における収容凹部３７を有する主面１８ａの側とは反対側の面である。中央前寄り部１８ｈは、電源ケース１８の短手方向（前後方向）において、他方の主面１８ｂにおける中央位置から前端部側にずれた位置である。
【００４７】
第４壁部６０は、例えば、第２底壁部５７の前側部分であり、第５壁部６１は、第２底壁部５７の後側部分である。第４壁部６０は、上下方向において、第５壁部６１よりも凹部３８の開口側に配置されている。
【００４８】
この電源ケース１８では、収容凹部３７の第１底壁部５１において、第２壁部５５が第１壁部５４よりも上下方向における収容凹部３７の開口側に配置されている。これにより、収容凹部３７の内部空間Ｓ１が小さくなる分、第２壁部５５の外側面に面する空間Ｓ３が新たに確保され、その空間Ｓ３の分、凹部３８の内部空間Ｓ２が大きくなっている。
【００４９】
電源ケース１８の収容凹部３７には、回路基板１９が収容されている。この収容状態では、回路基板１９の一方の主面（部品面）１９ａは、収容凹部３７の第１底壁部５１に対向している。一方の主面１９ａのうち、第１領域１９ｃは、第１底壁部５１の第１壁部５４に対向し、第２領域１９ｄは、第１底壁部５１の第２壁部５５に対向している。
【００５０】
電源装置１は、図４に示すように、電源ケース１８の他方の主面１８ｂ（したがって凹部３８）が上になるように、光源ユニット２の取付部材２１の上面に取り付けられる。電源装置１は、取付部材２１の上面において、定められた位置に取り付けられている（図１参照）。より詳細には、電源装置１は、取付部材２１の上面において、長手方向（左右方向）の中心位置から、長手方向の両端部のうちの一方の端部（例えば左端部）側にずれた位置に取り付けられる。電源ケース１８の前後両側の側壁部２６，２７が取付部材２１の前後両側の一対の側板２１２にねじ止めされることによって、電源装置１は、取付部材２１に固定されている。取付部材２１に取り付けられた状態において、電源ケース１８の収容凹部３７の開口は、取付部材２１の底板２１１で塞がれている。
【００５１】
次に、図６〜図１０を参照して、光源ユニット２を器具本体４に取り付ける取付手順（取付方法）を説明する。光源ユニット２は、器具本体４に対して正規の取付方向と逆向きの取付方向とのどちらの取付方向でも取り付け可能である。正規の取付方向とは、器具本体４の端子台４４と光源ユニット２の電源装置１とが、器具本体４の長手方向（左右方向）に沿って互いに反対側に配置される取付方向である。逆向きの取付方向とは、正規の取付方向とは反対方向の取付方向である。
【００５２】
まず、光源ユニット２が器具本体４に正規の取付方向で取り付けられる場合の取付手順を説明する。
【００５３】
図６に示すように、光源ユニット２が器具本体４の下側に配置される。この状態では、光源ユニット２の長手方向（左右方向）は、器具本体４の長手方向（左右方向）に一致している。光源ユニット２の電源装置１は、光源ユニット２の上側に配置されると共に、光源ユニット２の長手方向において中央位置よりも左端部側に配置されている。器具本体４の端子台４４は、器具本体４の長手方向において中央位置よりも右端部側に配置されている。すなわち、電源装置１は、上下方向において、端子台４４と重ならないように配置されている。また、光源ユニット２の一対の引掛具２１４は、光源ユニット２の前側に配置され、光源ユニット２の一対の引掛ばね２１５は、光源ユニット２の後側に配置されている。
【００５４】
そして、図７Ａに示すように、光源ユニット２の姿勢が、前方斜め上方向に傾斜される。この傾斜姿勢で、光源ユニット２の前側の一対の引掛具２１４が、器具本体４の凹部４０の前側の側板４３の一対の引掛孔４３０Ａに引っ掛けられる。また、この傾斜姿勢で、光源ユニット２の後側の一対の引掛ばね２１５の先端部が、器具本体４の凹部４０の後側の側板４３の一対のばね受け具４３１Ｂに引っ掛けられる。
【００５５】
そして、図７Ｂに示すように、光源ユニット２の前後両側の一対の側板２１２が、器具本体４の凹部４０内に嵌め込まれる。この状態では、光源ユニット２の延出部２３２が凹部４０の開口端縁４５と接触する。また、光源ユニット２の後側の側板２１２が、引掛ばね２１５の引張力で、器具本体４の凹部４０内に引っ張り込まれている。これにより、光源ユニット２が器具本体４の凹部４０に保持される。すなわち、光源ユニット２が器具本体４に支持される。
【００５６】
このように光源ユニット２が器具本体４に支持された状態では、図３に示すように、光源ユニット２の電源装置１及び器具本体４の端子台４４は、器具本体４の長手方向（左右方向）に沿って、互いに間隔を空けて並んでいる。このため、電源装置１及び端子台４４は、互いに干渉せずに配置される。
【００５７】
次に、光源ユニット２が器具本体４に逆向きの取付方向で取り付けられる場合の取付手順を説明する。
【００５８】
図８に示すように、光源ユニット２が器具本体４の下側に配置される。この状態では、光源ユニット２の長手方向（左右方向）は、器具本体４の長手方向（左右方向）に一致している。光源ユニット２の電源装置１は、光源ユニット２の上側に配置されると共に、光源ユニット２の長手方向において中央位置よりも右端部側に配置されている。器具本体４の端子台４４は、器具本体４の長手方向において中央位置よりも右部側に配置されている。すなわち、電源装置１は、上下方向において端子台４４と重なるように配置されている。また、光源ユニット２の一対の引掛具２１４は、光源ユニット２の後側に配置され、光源ユニット２の一対の引掛ばね２１５は、光源ユニット２の前側に配置されている。
【００５９】
そして、図９Ａに示すように、光源ユニット２の姿勢が、後方斜め上方向に傾斜される。この傾斜姿勢で、光源ユニット２の後側の一対の引掛具２１４が、器具本体４の凹部４０の後側の側板４３の一対の引掛孔４３０Ｂに引っ掛けられる。また、この傾斜姿勢で、光源ユニット２の前側の一対の引掛ばね２１５の先端部が、器具本体４の凹部４０の前側の一対のばね受け具４３１Ａに引っ掛けられる。
【００６０】
そして、図９Ｂに示すように、光源ユニット２の一対の側板２１２の側板２１２が、器具本体４の凹部４０内に嵌め込まれる。この状態では、光源ユニット２の延出部２３２が凹部４０の開口端縁４５と接触する。また、光源ユニット２の前側の側板２１２が、引掛ばね２１５の引張力で、器具本体４の凹部４０内に引っ張り込まれる。これにより、光源ユニット２が器具本体４の凹部４０に保持される。すなわち、光源ユニット２が器具本体４に支持される。
【００６１】
このように光源ユニット２が器具本体４に支持された状態では、図１０Ａ及び図１０Ｂに示すように、器具本体４の端子台４４は、電源装置１の電源ケース１８の凹部３８内に収容されている。この収容状態では、上下方向において、端子台４４は、電源装置１の回路基板１９の第２領域１９ｄと重なるように配置されている（図１０Ａ）。その際、凹部３８の内部空間Ｓ２は、上述の通り、収容凹部３７の第２壁部５５が第１壁部５４よりも収容凹部３７の開口側に配置されることで、空間Ｓ３の分、広くなっている（図４参照）。このため、端子台４４は、凹部３８との干渉（すなわち電源装置１との干渉）が低減されて、凹部３８に収容されている。また、回路基板１９の第１領域１９ｃ及び第２領域１９ｄが基板１９の長手方向Ｔ１に沿って延びているため、電源装置１と端子台４４との相対位置が基板１９の長手方向Ｔ１にずれても、電源装置１と端子台４４との干渉を低減できる。
【００６２】
また、図１０Ａに示すように、端子台４４及び電源装置１は、器具本体４の凹部４０における長手方向（左右方向）の両側のうちの一方の側（例えば長手方向の右半分）に配置される。このため、凹部４０において長手方向の他方の側（例えば長手方向の左半分）に、スペースＳ４を確保できる。このスペースＳ４を配線スペースとして用いることで、配線スペースを増加できる。また、このスペースＳ４を制御ブロックを配置するスペースとして用いることで、制御ブロックの配置レイアウトの自由度を向上できる。
【００６３】
（実施形態１の変形例）
実施形態１の変形例について説明する。以下に説明する変形例は組み合わせて用いてもよい。
【００６４】
（変形例１）
実施形態１では、器具本体４の前後両側の側板４３に、一対の引掛孔４３０Ａ，４３０Ｂ及び一対のばね受け具４３１Ａ，４３１Ｂが設けられている。また、光源ユニット２の前後両側の側板２１２に、引掛具２１４及び引掛ばね２１５が設けられている。そして、引掛具２１４が一対の引掛孔４３０Ａ，４３０Ｂの一方に引っ掛けられ、引掛ばね２１５が一対のばね受け具４３１ＡＡ，４３１Ｂの一方に引っ掛けられる。これにより、正規の取付方向と逆向きの取付方向とのどちらの取付方向でも、光源ユニット２は、器具本体４に取り付け可能である。ただし、器具本体４と光源ユニット２との取付構造は、上記のような取付構造に限定されず、例えば図１１Ａ及び図１１Ｂに示す取付構造であってもよい。
【００６５】
図１１Ａ及び図１１Ｂに示す取付構造では、器具本体４は、一対の第１突部７０Ａ，７０Ｂを有し、光源ユニット２は、一対の第１突部７０Ａ，７０Ｂに引っ掛かる一対の第２突部７１Ａ，７１Ｂを有する。
【００６６】
一対の第１突部７０Ａ，７０Ｂのうち、一方の第１突部７０Ａは、器具本体４の凹部４０の前側の側板４３の後側主面に設けられ、凹部４０の内部において後側に向かって突出している。他方の第１突部７０Ｂは、凹部４０の後側の側板４３の前側主面に設けられ、凹部４０の内部において前側に向かって突出している。なお、第１突部７０Ａ，７０Ｂは、側板４３に直接設けられてもよいし、別部材で構成されて側板４３の内側主面に配置されてもよい。
【００６７】
一対の第２突部７１Ａ，７１Ｂうち、一方の第２突部７１Ａは、光源ユニット２の取付部材２１の前側の側板２１２の前側主面に設けられて前側に向かって突出している。他方の第２突部７１Ｂは、取付部材２１の後側の側板２１２の後側主面に設けられて後側に向かって突出している。一対の第１突部７０Ａ，７０Ｂは、器具本体４に対して前後対称的な位置に設けられている。一対の第２突部７１Ａ，７１Ｂも光源ユニット２に対して前後対称的な位置に設けられている。
【００６８】
この変形例での器具本体４への光源ユニット２の取付手順を説明する。
【００６９】
まず、正規の取付方向での取付手順を説明する。図１１Ａに示すように、光源ユニット２の姿勢が水平に保たれる。この状態で、図１１Ｂに示すように、光源ユニット２の一対の側板２１２が、器具本体４の下側から器具本体４の凹部４０に嵌め込まれる。この状態では、光源ユニット２の延出部２３２が器具本体４の凹部４０の開口端縁４５に接触する。また、光源ユニット２の後側の第２突部７１Ｂが、器具本体４の後側の第１突部７０Ｂを乗り越えてその第１突部７０Ｂの上側に引っ掛かる。同様に、光源ユニット２の前側の第２突部７１Ａが、器具本体４の前側の第１突部７０Ａを乗り越えてその第１突部７０Ａの上側に引っ掛かる。これにより、光源ユニット２が器具本体４の凹部４０に保持される。すなわち、光源ユニット２が器具本体４の凹部４０に支持される。この状態での電源装置１及び端子台４４との配置関係は、実施形態１で説明された正規の取付方向での取付手順の場合と同じである。
【００７０】
上述の通り、一対の第１突部７０Ａ，７０Ｂは器具本体４に対して前後対称な配置であり、一対の第２突部７１Ａ，７１Ｂも光源ユニット２に対して前後対称的な配置である。このため、逆向きの取付方向での取付手順は、正規の取付方向での取付手順と同じである。そして、その取付状態での電源装置１及び端子台４４との配置関係は、実施形態１で説明された逆向きの取付方向での取付手順の場合と同じである。
【００７１】
この変形例でも、実施形態１と同様の効果を奏する。
【００７２】
（変形例２）
実施形態１において、図１２に示すように、電源装置１は、絶縁ケース７５を更に備えてもよい。絶縁ケース７５は、電気絶縁性を有する絶縁部材（例えば樹脂部材）で形成されている。絶縁ケース７５は、回路基板１９を収容するケースであり、回路基板１９を収容した状態で、収容凹部３７に収容される。すなわち、絶縁ケース７５は、電源ケース１８における回路基板１９を囲む内壁部（すなわち、第１底壁部５１及び側壁部５２，５３）と回路基板１９との間に配置される絶縁部材である。絶縁ケース７５によって、電源ケース１８と回路基板１９との電気的な絶縁が確保される。これにより、回路基板１９と、電源ケース１８における回路基板１９を囲む内壁部との間隔を小さくでき、電源装置１を小型化できる。
【００７３】
絶縁ケース７５は、ケース本体７６と、蓋部７７とを有する。ケース本体７６は、収容凹部３７よりも一周り小さい形のケースである。ケース本体７６の下面は、開口している。蓋部７７は、ケース本体７６の下面を塞ぐための部材である。
【００７４】
ケース本体７６は、前後両側の側壁部７８，７９と、底壁部８０とを有する。底壁部８０は、第７壁部８１と、第８壁部８２と、第９壁部８３とを有する。第７壁部８１及び第８壁部８２は、互いに平行である。第８壁部８２は、上下方向において、第７壁部８１よりもケース本体７６の開口側（下面側）に配置されている。第９壁部８３は、第７壁部８１の後端部と第８壁部８２の前端部とを連結する。第９壁部８３は、第７壁部８１及び第８壁部８２に交差（例えば直交）している。側壁部７８は、第７壁部８１の前端部から下方に延び、側壁部７９は、第８壁部８２の後端部から下方に延びている。
【００７５】
蓋部７７は、蓋部本体８６と、前後両側の側壁部８４，８５とを有する。蓋部本体８６は、例えば平板状である。側壁部８４，８５は、蓋部本体８６の前後両端部から上方に延びている。蓋部７７がケース本体７６の下面を塞ぐ。この状態で、蓋部７７の前後両側の側壁部８４，８５は、ケース本体７６の前後両側の側壁部７８，７９の外側に嵌る。
【００７６】
絶縁ケース７５は、回路基板１９を収容した状態で、収容凹部３７内に収容されている。絶縁ケース７５が回路基板１９を収容した状態では、回路基板１９の一方の主面（部品面）１９ａは、ケース本体７６の底壁部８０に対向している。回路基板１９の一方の主面１９ａのうち、第１領域１９ｃは底壁部８０の第７壁部８１に対向し、第２領域１９ｄは底壁部８０の第８壁部８２に対向している。
【００７７】
また、絶縁ケース７５が収容凹部３７内に収容された状態では、ケース本体７６が収容凹部３７の内部に嵌っている。すなわち、ケース本体７６の側壁部７８，７９は、収容凹部３７の側壁部５２，５３の内側に隣合って配置されている。ケース本体７６の第７壁部８１、第８壁部８２及び第９壁部８３は、収容凹部３７の第１壁部５４、第２壁部５５及び第３壁部５６に隣接する。ケース本体７６の下面は、収容凹部３７の開口に対向している。
【００７８】
（変形例３）
実施形態１では、回路基板１９の一方の主面１９ａが第１領域１９ｃを１つ有する場合を例示したが、一方の主面１９ａは、複数の第１領域１９ｃを有してもよい。例えば、一方の主面１９ａが２つの第１領域１９ｃを有する場合は、図１３Ａに示すように、２つの第１領域１９ｃは、回路基板１９の短手方向（前後方向）において、第２領域１９ｄの両側に配置される。すなわち、２つの第１領域１９ｃの間に第２領域１９ｄが配置される。
【００７９】
より詳細には、第１領域１９ｃ及び第２領域１９ｄは、回路基板１９の長手方向（左右方向）に沿って延びている。第２領域１９ｄは、回路基板１９における幅方向（前後方向）の中央に配置され、２つの第１領域１９ｃは、回路基板１９における幅方向（前後方向）の両側に配置されている。
【００８０】
電源ケース１８は、実施形態１の電源ケース１８において、第６板部３５と、第７板部３６とを更に備えている。
【００８１】
第６板部３５は、例えば、第１板部３０と平行である。第７板部３６は、第２板部３１の後端部と第６板部３５の前端部とを連結し、第２板部３１及び第６板部３５に交差（例えば直交）している。本変形例では、第５板部３４は、第３板部３２の前端部と第６板部３５の後端部とを連結し、第３板部３２及び第６板部３５に交差（例えば直交）している。
【００８２】
第６板部３５と収容凹部３７内の回路基板１９の一方の主面１９ａとの間隔Ｈ７は、第１板部３０（第１壁部５４）と収容凹部３７内の回路基板１９の一方の主面１９ａとの間隔Ｈ５と同じ大きさである。この変形例の収容凹部３７は、側壁部２６、第１板部３０、第２板部３１、第４板部３３、第５板部３４、第６板部３５、第７板部３６で構成されている。この変形例の収容凹部３７の底壁部５１は、第１板部３０、第２板部３１、第６板部３５、第４板部３３、及び第７板部３６で構成されている。第１板部３０及び第６板部３５は、２つの第１領域１９ｃに対向している。第２板部３１は、第２領域１９ｄに対向している。間隔Ｈ７及び間隔Ｈ５は、第２板部３１と収容凹部３７内の回路基板１９の一方の主面１９ａとの間隔Ｈ６よりも大きい。すなわち、第２板部３１は、第１板部３０及び第６板部３５よりも収容凹部３７の開口側に配置されている。これにより、第２板部３１の上側主面の正面にスペースＳ５（すなわち後述の凹部３８Ａ）を確保できる。
【００８３】
本変形例では、電源ケース１８は、２つの凹部３８Ａ，３８Ｂを有する。一方の凹部３８Ａは、第４板部３３、第２板部３１及び第７板部３６で構成されている。すなわち、一方の凹部３８Ａは、第２板部３１が第１板部３０及び第６板部３５よりも収容凹部３７の開口側に配置されることで形成されている。他方の凹部３８Ｂは、第５板部３４、第３板部３２及び側壁部２７で構成されている。
【００８４】
本変形例では、光源ユニット２が器具本体４に逆方向の取付方向で取り付けられると、図１３Ｂに示すように、一方の凹部３８Ａに器具本体４の端子台４４が収容される。これにより、電源装置１と端子台４４とが干渉することを抑制できる。
【００８５】
なお、本変形例では、一方の凹部３８Ａに端子台４４が収容されるが、端子台４４又は電源ケース１８の配置を調整して、他方の凹部３８Ｂに端子台４４が収容されるようにしてもよい。この場合も、凹部３８Ｂによって、電源装置１と端子台４４とが干渉することを抑制できる。
【００８６】
（変形例４）
実施形態１では、電源ケース１８は、金属部材で形成されているが、樹脂部材で形成されてもよい。この場合は、回路基板１９と電源ケース１８との電気絶縁性が電源ケース１８で確保される。このため、回路基板１９と電源ケース１８との間隔を小さくできる。この結果、電源ケース１８を小型化できる。
【００８７】
（まとめ）
上述のように本開示の第１の態様に係る電源装置（１）は、基板（１９）と、ケース（１８）と、を有する。基板（１９）は、一の主面（１９ａ）を有し、一の主面（１９ａ）に高背部品（２９ａ）を含む回路部品（２９）が実装される。ケース（１８）は、基板（１９）を収容する。基板（１９）の一の主面（１９ａ）は、第１領域（１９ｃ）と、第２領域（１９ｄ）と、を有する。第１領域（１９ｃ）は、高背部品（２９ａ）が実装されている。第２領域（１９ｄ）は、高背部品（２９ａ）が実装されていない。ケース（１８）は、対向壁部（５１）を有する。対向壁部（５１）は、一の主面（１９ａ）に対向する。対向壁部（５１）は、第１部位（５４）と、第２部位（５５）と、を有する。第１部位（５４）は、第１領域（１９ｃ）に対応する。第２部位（５５）は、第２領域（１９ｄ）に対応する。一方の主面（１９ａ）と第１部位（５４）との間隔（Ｈ５）は、一方の主面（１９ａ）と第２部位（５５）との間隔（Ｈ６）よりも大きい。基板（１９）は、長手方向（Ｔ１）と短手方向（Ｔ２）とを有する。第１領域（１９ｃ）及び第２領域（１９ｄ）は、基板（１９）の短手方向（Ｔ２）に並ぶと共に基板（１９）の長手方向（Ｔ１）に沿って延びている。
【００８８】
この構成によれば、基板（１９）から第１部位（５４）までの間隔（Ｈ５）が基板（１９）から第２部位（５５）までの間隔（Ｈ６）よりも大きい。このため、対向壁部（５１）の第２部位（５５）における基板（１９）とは反対側に、外部部品（４４）が配置可能なスペース（Ｓ３）を確保できる。このため、対向壁部（５１）の第２部位（５５）における基板（１９）とは反対側に配置された外部部品（４４）と、電源装置（１）との干渉を低減できる。
【００８９】
また、基板（１９）の第１領域（１９ｃ）及び第２領域（１９ｄ）は、基板（１９）の長手方向（Ｔ１）に沿って延びている。このため、対向壁部（５１）の第１部位（５４）及び第２部位（５５）を基板（１９）の長手方向（Ｔ１）に沿って確保できる。特に、第２部位（５５）が基板（１９）の長手方向（Ｔ１）に沿って確保できるため、電源装置（１）と上記の外部部品（４４）との相対位置が基板（１９）の長手方向（Ｔ１）にずれても、電源装置（１）と上記の外部部品（４４）との干渉を低減できる。
【００９０】
第２の態様に係る電源装置（１）では、第１の態様において、ケース（１８）は、基板（１９）を収容する収容凹部（３７）を有する。対向壁部（５１）は、収容凹部（３７）の底壁部である。
【００９１】
この構成によれば、収容凹部（３７）の底壁部（５１）の第２部位（５５）の外側に、外部部品（４４）が配置可能なスペース（Ｓ３）を確保できる。この結果、収容凹部（３７）の底壁部（５１）の第２部位（５５）の外側に配置された外部部品（４４）と、電源装置（１）との干渉を低減できる。
【００９２】
第３の態様に係る電源装置（１）では、第２の態様において、底壁部（５１）を第１底壁部（５１）とする。ケース（１８）は、収容凹部（３７）を有する面（１８ａ）の側とは反対側の面（１８ｂ）に凹部（３８）を更に有する。凹部（３８）の第２底壁部（５７）の少なくとも一部（６０）は、収容凹部（３７）の第１底壁部（５１）の第２部位（５５）と兼用されている。
【００９３】
この構成によれば、凹部（３８）の第２底壁部（５７）の一部（６０）が収容凹部（３７）の第１底壁部（５１）の第２部位（５５）と兼用される。これにより、凹部（３８）の内部空間（Ｓ２）のうち、第２底壁部（５７）の一部（６０）に面する空間部分をより広く確保できる。この結果、凹部（３８）において、第２底壁部（５７）の一部（６０）に面する空間部分に収容された外部部品（４４）との干渉を低減できる。
【００９４】
第４の態様に係る電源装置（１）では、第１〜第３の態様の何れか１つの態様において、第１領域（１９ｃ）は２つ設けられている。２つの第１領域（１９ｃ）は、基板（１９）の短手方向（Ｔ２）において第２領域（１９ｄ）の両側に配置されている。
【００９５】
この構成によれば、２つの第１部位（５４）を有し、２つの第１部位（５４）の間に第２部位（５５）を確保できる。
【００９６】
第５の態様に係る電源装置（１）では、第１〜第４の態様の何れか１つの態様において、ケース（１８）は、金属部材で形成されている。
【００９７】
この構成によれば、ケース（１８）の機械的強度及び放熱性を確保できる。
【００９８】
第６の態様に係る電源装置（１）では、第５の態様において、ケース（１８）は、基板（１９）を囲む内壁部（５１，５２，５３）を有する。ケース（１８）は、内壁部（５１，５２，５３）と基板（１９）との間に絶縁部材（７５）を有する。
【００９９】
この構成によれば、絶縁部材（７５）によってケース（１８）と基板（１９）との間の絶縁を確保できる。したがって、ケース（１８）と基板（１９）とを互いに接近して配置できる。この結果、電源装置（１）を小型化できる。特に、ケース（１８）と基板（１９）とを電源装置（１）の厚さ方向に互いに接近した場合は、電源装置（１）を薄型化できる。
【０１００】
第７の態様に係る電源装置（１）では、第１〜第４の態様の何れか１つの態様において、ケース（１８）は、樹脂部材で形成されている。
【０１０１】
この構成によれば、ケース（１８）を軽量化できる。また、樹脂部材は絶縁性を有するため、基板（１９）とケース（１８）とを互いに接近して配置でき、電源装置（１）を小型化できる。特に、ケース（１８）と基板（１９）とを電源装置（１）の厚さ方向に互いに接近した場合は、電源装置（１）を薄型化できる。
【０１０２】
第８の態様に係る照明装置（２）では、第１〜第７の態様の何れか１つの態様の電源装置（１）と、灯具（２０）と、を備える。灯具（２０）は、電源装置（１）から供給される電力で光を発する。
【０１０３】
この構成によれば、電源装置（１）の上記の効果を奏する照明装置（２）を提供できる。
【０１０４】
第９の態様に係る照明器具（６）では、第８の態様の照明装置（２）と、器具本体（４）と、を備える。器具本体（４）は、照明装置（２）を支持する。
【０１０５】
この構成によれば、電源装置（１）の上記の効果を奏する照明器具（６）を提供できる。
【符号の説明】
【０１０６】
１  電源装置
２  光源ユニット（照明装置）
４  器具本体
６  照明器具
１８  ケース
１８ｂ  主面（収容凹部の側とは反対側の面）
１９  基板
１９ａ  一の主面
１９ｃ  第１領域
１９ｄ  第２領域
２０  灯具
２９  回路部品
２９ａ  高背部品
３７  収容凹部
３８  凹部
５１  第１底壁部（底壁部、対向壁部）
５２，５３  側壁部（内壁部）
５４  第１部位
５５  第２部位
５７  第２底壁部
Ｈ５，Ｈ６  間隔
Ｔ１  長手方向
Ｔ２  短手方向
【図１】
2020035622.tif 000003
【図２】
2020035622.tif 000004
【図３】
2020035622.tif 000005
【図４】
2020035622.tif 000006
【図５】
2020035622.tif 000007
【図６】
2020035622.tif 000008
【図７】
2020035622.tif 000009
【図８】
2020035622.tif 000010
【図９】
2020035622.tif 000011
【図１０】
2020035622.tif 000012
【図１１】
2020035622.tif 000013
【図１２】
2020035622.tif 000014
【図１３】
2020035622.tif 000015